(57)【特許請求の範囲】
【請求項１】
ケーシングで下部に流入口が開口し上部に流出口が開口した弁室を形成し、弁室と流出口の間に弁座を形成し、弁室内に弁室内壁との間に流路を設けた有底のほぼ円筒形状で底部に内外を連通する通孔を有するフロート受けを配し、フロート受け内にフロートを自由状態で配したものにおいて、フロート受けの側壁と底壁を別体に形成して側壁を弁室内に固定すると共に底壁を弾性部材で流入口側に付勢して配置し、流入口から弁室内に急激に流入する水の勢いでフロート受けの底壁が弾性部材に抗して流出口側に変位してフロートを弁座に近付け、フロートがフロート受け内に流入する水によって浮上して弁座に着座し閉弁することを特徴とする排気弁。
【発明の詳細な説明】
【技術分野】
【０００１】
本発明は、配管に水を送り込むときに開弁して配管内の空気を排気し、排気が終われば閉弁し、また配管系の圧力が低下して真空状態となったときに開弁して外部空気を導入することにより真空状態を破壊する排気弁に関する。
【背景技術】
【０００２】
従来の排気弁は、例えば特許文献１に開示されている。これは、ケーシングで下部に流入口が開口し上部に流出口が開口した弁室を形成し、弁室と流出口の間に弁座を形成し、弁室内に弁室内壁との間に流路を設けた有底のほぼ円筒形状で底部に内外を連通する通孔を有するフロート受けを配し、フロート受け内にフロートを自由状態で配したものにおいて、フロート受けを弾性部材で流入口側に付勢して配置し、流入口から弁室内に急激に流入する水の勢いでフロート受けが弾性部材に抗して流出口側に変位してフロートを弁座に近付け、フロートがフロート受け内に流入する水によって浮上して弁座に着座し閉弁するものである。この排気弁は、先ず配管に水を送り込むときにはフロートが弁座から離座して降下した開弁状態であり、流入口から弁室内に流入してくる配管内の空気をフロート受けと弁室内壁との間の流路からフロート受け上端を通して、及び通孔からフロート受け内を通して流出口に排気する。そして排気が終わって配管内の水が流入口から弁室内に流入してくると、フロート受けと弁室内壁との間の流路からフロート受け上端を通して、及び通孔からフロート受け内に流入する水によってフロートが浮上して弁座に着座し閉弁する。また配管系の圧力が低下して真空状態となったときにはフロートが弁座から離座して降下し、流出口から弁室内に流入してくる外部空気をフロート受け内から通孔を通して、及びフロート受けの上端からフロート受けと弁室内壁との間の流路を通して配管内に導入することにより真空状態を破壊する。そして、フロート受けを弾性部材で流入口側に付勢して配置し、流入口から弁室内に急激に流入する水の勢いでフロート受けが弾性部材に抗して流出口側に変位してフロートを弁座に近付け、フロートがフロート受け内に流入する水によって浮上して弁座に着座し閉弁することにより、水が流入口から弁室内に急激に流入してきても、フロート受け内の少しの水位上昇よりフロートが弁座に着座し閉弁するので、漏水を生じることがないものである。
【先行技術文献】
【特許文献】
【０００３】
【特許文献１】特開２００７−１６２８８６号公報
【発明の概要】
【発明が解決しようとする課題】
【０００４】
上記従来の排気弁は、流入口から弁室内に急激に流入する水の勢いでフロート受け全体が弾性部材に抗して流出口側に変位するものであるので、フロート受けの重量により弾性部材が損傷し易いという問題点があった。
【０００５】
したがって本発明が解決しようとする課題は、水が流入口から弁室内に急激に流入してきても、漏水を生じないと共に弾性部材の損傷を防止できる排気弁を提供することである。
【課題を解決するための手段】
【０００６】
上記の課題を解決するために、本発明の排気弁は、ケーシングで下部に流入口が開口し上部に流出口が開口した弁室を形成し、弁室と流出口の間に弁座を形成し、弁室内に弁室内壁との間に流路を設けた有底のほぼ円筒形状で底部に内外を連通する通孔を有するフロート受けを配し、フロート受け内にフロートを自由状態で配したものにおいて、フロート受けの側壁と底壁を別体に形成して側壁を弁室内に固定すると共に底壁を弾性部材で流入口側に付勢して配置し、流入口から弁室内に急激に流入する水の勢いでフロート受けの底壁が弾性部材に抗して流出口側に変位してフロートを弁座に近付け、フロートがフロート受け内に流入する水によって浮上して弁座に着座し閉弁することを特徴とするものである。
【発明の効果】
【０００７】
本発明によれば、フロート受けの側壁と底壁を別体に形成して側壁を弁室内に固定すると共に底壁を弾性部材で流入口側に付勢して配置し、流入口から弁室内に急激に流入する水の勢いでフロート受けの底壁が弾性部材に抗して流出口側に変位してフロートを弁座に近付け、フロートがフロート受け内に流入する水によって浮上して弁座に着座し閉弁するものであるので、水が流入口から弁室内に急激に流入してきても、フロート受け内の少しの水位上昇よりフロートが弁座に着座し閉弁することにより、漏水を生じないと共に弾性部材の損傷を防止できるという効果を奏する。
【図面の簡単な説明】
【０００８】
【図１】本発明の実施の形態に係わる排気弁の断面図である。
【発明を実施するための形態】
【０００９】
以下、本発明の実施の形態について、図１を参照して説明する。本体１に蓋２をボルトで締結して内部に弁室３を有するケーシングを形成する。本体１の下部に流入口４を形成し、蓋２の上部に流出口５を形成する。蓋２に弁座６を間に挟んで取付部材７をネジで固定する。本体１は弁室３の内壁に内側に突出した複数のリブ９を一体に有し、リブ９の内側に有底のほぼ円筒形状のフロート受け１０を配置する。フロート受け１０は側壁１０ａと底壁１０ｂを別体に形成し、側壁１０ａをリブ９の段部に載せてスナップリング１５で弁室３内に固定すると共に、底壁１０ｂをスナップリング１６との間に配置した弾性部材としてのコイルバネ１３で流入口４側に付勢してリブ９の段部に載せて配置する。フロート受け１０の底壁１０ｂはフロート受け１０の内外を上下方向に連通する通孔１１を有する。各リブ９の間に弁室３内壁とフロート受け１０との間の流路が形成される。フロート受け１０内に球形のフロート１２を自由状態で配置する。
【００１０】
フロート受け１０の底壁１０ｂは流入口４から弁室３内に空気が流入するときや水が緩やかに流入するときはコイルバネ１３の付勢力により流入口４側に付勢され外周下面がリブ９の段部に載っているが、水が急激に流入するときは水の勢いでコイルバネ１３に抗して流出口５側に変位してフロート１２を弁座６に近付け、フロート１２がフロート受け１０内に流入する水によって浮上して弁座６に着座し閉弁する。
【００１１】
上記実施例の排気弁の動作は下記の通りである。先ず配管に水を送り込むときにはフロート受け１０の底壁１０ｂはコイルバネ１３の付勢力により流入口４側に付勢され外周下面がリブ９の段部に載っている。フロート１２は弁座６から離座して降下しフロート受け１０の底壁に載った開弁状態である。これにより、弁室３内に流入してくる配管内の空気をリブ９の間の空間からフロート受け１０上端を通して及び通孔１１からフロート受け１０内を通して流出口５に排気する。
【００１２】
そして排気が終わって配管内の水が流入口４から弁室３内に緩やかに流入してくると、フロート受け１０はコイルバネ１３の付勢力により流入口４側に付勢され外周下面がリブ９の段部に載った状態を維持する。フロート１２はリブ９の間の空間からフロート受け１０上端を通して及び通孔１１を通してフロート受け１０内に流入する水によって浮上して弁座６に着座し閉弁する。これにより、水の漏出を防止する。また、配管内の水が流入口４から弁室３内に急激に流入してくると、フロート受け１０は水の勢いでコイルバネ１３に抗して流出口５側に変位してフロート１２を流出口５側へ変位させ、フロート１２はリブ９の間の空間からフロート受け１０上端を通して及び通孔１１と第２通孔８を通してフロート受け１０内に流入する水によって素早く浮上して弁座６に着座し閉弁するので、漏水を生じることがない。配管系の圧力が低下して真空状態となったときにはフロート１２が弁座６から離座して降下しフロート受け１０の底壁に載った開弁状態となる。これにより、弁室３内に流入してくる外部空気をフロート受け１０上端からリブ９の間の空間を通して及びフロート受け１０内から通孔１１を通して流入口４から配管内に導入することにより真空状態を破壊する。
【産業上の利用可能性】
【００１３】
本発明は、配管に水を送り込むときに開弁して配管内の空気を排気し、排気が終われば閉弁し、また配管系の圧力が低下して真空状態となったときに開弁して外部空気を導入することにより真空状態を破壊する排気弁に利用することができる。
【符号の説明】
【００１４】
１  本体
２  蓋
３  弁室
４  流入口
５  流出口
６  弁座
８  第２通孔
９  リブ
１０  フロート受け
１０ａ  側壁
１０ｂ  底壁
１１  通孔
１２  フロート
１３  コイルバネ
【図１】
0005728319.tif 000002